(57)【要約】【課題】前面グリルが単一の成型品で構成されるため、デザインが単調で高級感が少ないものとなったり、また、前面グリルの中央部に開口穴をあけて運転表示部を設けているため、前面グリルの面感覚が損なわれ、一体感に欠け、高品位感がないという課題がある。【解決手段】台枠、前面枠、前面グリルを組み合わせて外郭を構成し、前面グリルの表面に光沢系の塗装を施すと共に、前面グリルの前方に表面に光拡散処理（シボ加工）を施した透明製の化粧パネルを設けたものであり、またさらには化粧パネルを着脱自在としてものである。それによって化粧パネルにより前面グリルの高級感が増し、またメンテナンス性が良好となる。【選択図】  図２
2004257619.tif 000002
【特許請求の範囲】
【請求項１】
台枠、前面枠、前面グリルを組み合わせて外郭を構成する空気調和機の室内ユニットにおいて、前面グリルの表面に光沢系の塗装を施すと共に、前面グリルの前方に表面に光拡散処理（シボ加工）を施した透明製の化粧パネルを設けた空気調和機の室内ユニット。
【請求項２】
前面グリルの略中央に水平な開口部を設け、開口部の上面は、その下端を後方折り曲げるように形成すると共に、開口部の下面は、前面グリルの表面から化粧パネルのほぼ同一の大きさで略肉厚分の凹面を設け、凹面の下側には係合穴を形成すると共に、凹面の裏面には、左右に引っかけ凸部を設け、また化粧パネルは、下部に係合突起を設けると共に、上部に前記凹面の上端に接する水平なリブを設け、リブの左右一端を後方に延長してキャッチ固定部を設け、キャッチ固定部に引っかけ爪を有する透明製のキャッチを設け、前面グリルの係合穴に化粧パネルの係合突起を係合させると共に、前面グリルの引っかけ凸部に化粧パネルのキャッチの引っかけ爪を係合させて、化粧パネルを前面グリルの凹面に配置した請求項１記載の空気調和機の室内ユニット。
【請求項３】
前面グリルに複数個の貫通穴を設け貫通穴の後方に発光部を設けた請求項１記載の空気調和機の室内ユニット。
【請求項４】
化粧パネルの上端に光沢面を設け、光沢面を前面グリルの凹面より上方に突き出すと共に、光沢面の表裏面の上方を後方に傾斜させた請求項１または２記載の空気調和機の室内ユニット
【発明の詳細な説明】
【０００１】
【発明の属する技術分野】
本発明は、前面グリルのデザイン性及びメンテナンス性を向上させた空気調和機の室内ユニットに関するものである。
【０００２】
【従来の技術】
従来の空気調和機の室内ユニットを、図５に示す。すなわち、１０１は空気調和機の室内ユニット本体であり、１０２は空気調和機のベースを構成する台枠、１０３は空気調和機の台枠１０２全体を被い外装を構成する前面枠、１０４は前面枠１０３の前方に装着される前面グリルである。１０５は前面枠１０３の天面に形成される天面吸い込み口、１０６は前面グリルに形成されるスリットを有した正面吸い込み口、１０７は正面下方に設けられ、風向制御用のフラップ１０８を有する吹き出し口である。１０９は前面グリルに開口穴１１０をあけてユニット本体１０１の内部に設けられた発光部を有する運転表示部である（例えば特許文献１参照）。
【０００３】
【特許文献１】
特開平１０−２６７０６５号公報
【０００４】
【発明が解決しようとする課題】
ところが、このような従来の空気調和機の室内ユニットでは、前面グリル１０４が単一の成型品で構成されるため、正面吸い込み口１０６のスリットの方向を複数の横桟または縦桟にしたり、デザインによってはスリットを少なくして前面グリルをパネル感覚にしたりして形状の変化を付けたり、または色彩を変えて変化を付けたりでしかデザインを変化させることができず、前面グリル１０４としてはデザインが単調で高級感が少ないものとなっていた。
【０００５】
また、前面グリル１０４に開口穴１１０をあけて運転表示部１０９を設け、この運転表示部１０９に装飾を用いてデザインの変化を付けているが、前面グリル１０４の面感覚が損なわれると共に運転表示部１０９が目立ちすぎて一体感に欠けるものとなり、高品位感がないものとなっていた。
【０００６】
また、正面の吸い込み口１０６のスリットを複数の横桟または縦桟で構成したものは、空気調和機の運転により埃などがスリットの周辺に付着して汚れてしまうという課題もあった。
【０００７】
また、発光部が運転表示部の所定位置を直接発光させるため、正面の発光は良いものの、やや側方からの発光部の視認性に欠けるという課題もあった。
【０００８】
本発明は、上記のような従来の課題を解決するものであり、高級感を有し、かつメンテナンス性のよい空気調和機の室内ユニットを提供することを目的とする。
【０００９】
【課題を解決するための手段】
上記課題を解決するために、本発明の空気調和機の室内ユニットは、台枠、前面枠、前面グリルを組み合わせて外郭を構成し、前面グリルの表面に光沢系の塗装を施すと共に、前面グリルの前方に表面に光拡散処理（シボ加工）を施した透明製の化粧パネルを設けたものであり、またさらには化粧パネルを着脱自在としてものである。それによって化粧パネルにより前面グリルの高級感が増し、またメンテナンス性が良好となる。
【００１０】
【発明の実施の形態】
請求項１に記載の発明は、台枠、前面枠、前面グリルを組み合わせて外郭を構成する空気調和機の室内ユニットにおいて、前面グリルの表面に光沢系の塗装を施すと共に、前面グリルの前方に表面に光拡散処理（シボ加工）を施した透明製の化粧パネルを設けたから、自然光や照明光により前面グリルの塗装の光沢が透明製の化粧パネルの光拡散処理を介して視認できるようになる。つまり、化粧パネルの表面は光沢がなくて奥が光沢がある状態となり、奥行きのある光沢感が生まれ、高級感、高品位感が実現できる。
【００１１】
請求項２に記載の発明は、前面グリルの略中央に水平な開口部を設け、開口部の上面は、その下端を後方折り曲げるように形成すると共に、開口部の下面は、前面グリルの表面から化粧パネルのほぼ同一大きさで略肉厚分の凹面を設け、凹面の下側には係合穴を形成すると共に、凹面の裏面には、左右に引っかけ凸部を設け、また化粧パネルは、下部に係合突起を設けると共に、上部に前記凹面の上端に接する水平なリブを設け、リブの左右一端を後方に延長してキャッチ固定部を設け、キャッチ固定部に引っかけ爪を有するキャッチを設け、前面グリルの係合穴に化粧パネルの係合突起を係合させると共に、前面グリルの引っかけ凸部に化粧パネルのキャッチの引っかけ爪を係合させて、化粧パネルを前面グリルの凹面に配置して構成したものである。
【００１２】
そしてこの構成によれば、前面グリルに化粧パネルとほぼ同一の大きさで略肉厚分の凹面を設けているから化粧パネルの装着位置が確実に決まるばかりでなく前面グリルと化粧パネルの一体感が増してデザイン的に好ましいものとなる。また、前面グリルの係合穴に化粧パネルの係合突起を係合させ、また前面グリルの引っかけ凸部に化粧パネルのキャッチの引っかけ爪を係合させているから化粧パネルの着脱が容易で化粧パネルの表裏面のほこり、汚れ等に対してのメンテナンスが容易にできる。また、キャッチを透明製としたからキャッチ部への上方からの光の進入がよくて化粧パネルの表面に対する陰影を少なくすることができる。
【００１３】
請求項３に記載の発明は、前面グリルに複数個の貫通穴を設け貫通穴の後方に発光部を設けた構成としたもので、発光部からの光は、化粧パネルの表面の光拡散処理（シボ加工）の面に到達し、その部分で拡散して光るから側面側からの視認性がよく、発光部の付帯部品が目視できないから前面グリル及び化粧パネルの面感覚が損なわれることもない。
【００１４】
請求項４に記載の発明は、化粧パネルの上端に光沢面を設け、光沢面を前面グリルの凹面より上方に突き出すと共に、光沢面の表裏面の上方を後方に傾斜させた構成としたから、光沢面の反射効果による高級感を生み出すとともに、さらに光沢面正面からの視界を透明部品の屈折効果で開口部の上面の下端よりも上の部分を見えるようにすることができ、開口部から前面グリルの内側の部分を遮蔽することができる。
【００１５】
以下本発明の実施の形態について図面を参照して説明する。
【００１６】
（実施の形態）
図１は本発明の実施の形態を示す空気調和機の室内ユニットの斜視図で、図２は前面グリル部分の分解斜視図。また、図３は同上の裏面側の主要部分の分解斜視図であり、図４は前面グリル部分の縦断面図である。
【００１７】
図１において、空気調和機の室内ユニット本体１は、その外郭を台枠２、前面枠３、前面グリル４を組み合わせて構成されており、内部に電装部品、熱交換器、貫流ファン、エアフィルタ（以上図示せず）などを備えている。また空気調和機として動作するために、送風回路として前面枠３の天面に天面吸い込み口５を、また、前面グリル４には開口部６を、下方部には風向制御用のフラップ７を具備した吹き出し口８を有している。９は、化粧パネルであり、前面グリル４の前方に装着されている。
【００１８】
また、図２のように、前面グリル４の開口部６は、前面グリルの略中央に水平に設けられており、開口部６の上面１０は、その下端を後方に折り曲げるように形成されている。また開口部６の下側の面は、前面グリル４の表面から化粧パネル９とほぼ同一の大きさで略その肉厚分窪んだ凹面１１が設けられている。また凹面１１の下方には複数個の係合穴１２が設けられ、そのほぼ中央には水平に複数個の貫通穴１３が設けられている。さらに、凹面１１の裏面には、左右に引っかけ凸部１４が開口部６寄りに形成されている。また、前面グリル４の裏面上部の左右には、支点１５、１６が具備され、前記前面枠３に対してエアフィルタの清掃などの時に前面グリル４が回動または取り外しできるようになっている。また、さらに前面グリル４の表面は、凹面１１を中心に全体に光沢系の塗装が施されている。
【００１９】
前記貫通穴１３の後方には、貫通穴１３の位置に対応して樹脂ケース等に被われ室内ユニットの内部構造体に装着された発光部１７が設けられている。
【００２０】
一方、化粧パネル９は、図２〜図４に示すように透明製でほぼ均一肉厚の平板形状に形成され、その上部の一部を除くすべての表面（おもて面のみ）に光拡散処理（シボ加工）を施している。
【００２１】
また、化粧パネル９の下部には下方に伸びる複数の係合突起１８を設け、また上部裏面には前記前面グリル４の凹面１１の上端に接する水平なリブ１９を設けている。そして、前面グリル４裏面の引っかけ凸部１４に対応したリブ１９の左右一端を後方に台形形状に延長してキャッチ固定部２０を形成している。ここでリブ１９より上の化粧パネル９の表裏面は、光沢面２１で、その表裏面の上方を後方に傾斜させており、キャッチ固定部２０  には、上下に貫通するキャッチ部貫通穴２２が設けられ、その下方にはキャッチ固定部２０の台形形状の下部と側面を包含して、化粧グリル９と同一材料の透明製のキャッチ２３がキャッチ貫通穴２２を貫通するネジ２４で上方から固定されてけられている。
【００２２】
キャッチ２３の下部中央には、弾性を確保するための円弧状の弾性部２５を有する引っかけ爪２６が形成され、下部側方左右には、凹面１１との最適な寸法を確保するためのスペーサ部２７が形成される。左右のキャッチ固定部２０は同一形状で、キャッチ２３も左右とも同一形状であることは言うまでもない。
【００２３】
そして、化粧パネル９は、化粧パネル９下部の複数の係合突起１８を凹面１１の係合穴１２に、また化粧パネル９の裏面のキャッチ２３の引っかけ爪２６を前面グリル４裏面の引っかけ凸部１４に係合させて同時にリブ１９の下部を凹面１１の上端に接触させて前面グリル４の凹面１１に装着されている。つまり、前面グリル４は、その表面に光沢系の塗装を施された凹面１１部分の前方を、表面に光拡散処理（シボ加工）を施した透明製の化粧パネル９で被い、かつ化粧パネル９の光沢面２１が凹面１１より上に突きだした二重構造となっている。
【００２４】
このような構成により、自然光や照明光により前面グリル４の塗装の光沢が透明製の化粧パネル９の光拡散処理を介して視認できるようになる。つまり、化粧パネル９の表面は光沢がなくて奥が光沢がある状態となり、奥行きのある光沢感が生まれ、高級感、高品位感が実現できる。
【００２５】
また、前面グリル４に化粧パネルとほぼ同一の大きさで略肉厚分の凹面１１を設けているから化粧パネル９の装着位置が確実に決まるばかりでなく前面グリル４と化粧パネル９の一体感が増してデザイン的に好ましいものとなる。また、化粧パネル９の装着は、前面グリル４の凹面１１部分を上部から挟み込むように前面グリル４の係合穴１２に化粧パネル９の係合突起１８を係合させ、また前面グリル４の引っかけ凸部１４に化粧パネル９のキャッチ２３の引っかけ爪２６を係合させるだけでよく、また、脱着は、引っかけ爪２６を外して上記と逆の手順でよく、着脱が容易にできる。従って初期の組立性が良好なばかりでなく、化粧パネル９の表裏面にほこり、汚れ等が付着したとしてもメンテナンスが容易にできる。
【００２６】
また、係合穴１２及び係合突起１８を複数個設けているから、化粧パネル９にそりなどが発生したとしても化粧パネル９が凹面１１から浮き上がることなく美観が向上できる。
【００２７】
また、キャッチ２３は、化粧パネル９のキャッチ固定部２０を包含して固定されているから固定が安定し、キャッチ２３の材料が化粧パネル９と同一の透明製であるから、キャッチ２３部分への上方からの光の進入がよく化粧パネル９の表面に対する陰影を少なくすることができる。
【００２８】
また、キャッチ２３の下部の引っかけ爪２６には、円弧状の弾性部２５が設けられているから引っかけ爪２６の信頼性が向上し、またキャッチ２３下部のスペーサ部２７は、凹面１１との隙間を最適に維持できる。
【００２９】
またさらに、前面グリル４に複数個の貫通穴１３を設け貫通穴１３の後方に発光部１７を設けたから、発光部１７からの光は、化粧パネル９の表面の光拡散処理（シボ加工）の面に到達し、その部分で拡散して光るから側面側からの視認性がよく、発光部１７の付帯部品が目視できないから前面グリル４及び化粧パネル９の面感覚が損なわれることもない。
【００３０】
また、化粧パネル９の上端に光沢面２１を設け、光沢面２１を前面グリル４の凹面１１より上方に突き出すと共に、光沢面２１の表裏面の上方を後方に傾斜させたから、光沢面２１の反射効果による高級感を生み出すとともに、さらに光沢面２１正面からの視界を透明部品の屈折効果で開口部６の上面１０の下端よりも上の部分を見えるようにすることができ、開口部６から前面グリル４の内側の部分を見えないようにすることができる。
【００３１】
また、化粧グリル９は、着脱容易であるため、現場において着せ替えとして異なる透明色彩のものに交換可能であり、また、化粧パネル９の裏面に写真等を入れて楽しむこともできる。
【００３２】
なお、本実施の形態では、化粧パネル９は、単に透明製と記載したが、化粧パネル９に透明系の薄い着色をして、前面グリルの表面を合致する光沢系の塗装をすることでなお一層の深みのある高級感が出せることは言うまでもない。
【００３３】
【発明の効果】
上記説明で示したように本願発明によれば、塗装した前面グリルの前方に表面に光拡散処理をした化粧パネルを設けたから奥行きのある光沢感、高級感が実現でき、また、前面グリルと化粧パネルとの種々の係合構造により一体感が図れ、さらなるデザイン性が向上すると共に、化粧パネルの着脱が容易にできてメンテナンス性が向上できる。
【００３４】
また、上記構成の裏面に発光部を設けたから側面の発光部の視認性がよくでき、さらに前面グリル及び化粧パネルの面感覚が維持できる。
また、化粧パネルの上端に光沢面を設け、透明部品の屈折効果を利用できる形状としたから、開口部の内側を遮蔽させることができる。
【図面の簡単な説明】
【図１】本発明の実施の形態を示す空気調和機の室内ユニットの斜視図
【図２】同上の前面グリル部分の分解斜視図
【図３】同上の裏面側の主要部を示す分解斜視図
【図４】前面グリル部分の縦断面図
【図５】従来例を示す空気調和機の室内ユニットの斜視図
【符号の説明】
１  室内ユニット本体
２  台枠
３  前面枠
４  前面グリル
６  開口部
９  化粧パネル
１０  上面
１１  凹面
１２  係合穴
１３  貫通穴
１４  引っかけ凸部
１７  発光部
１８  係合突起
１９  リブ
２０  キャッチ固定部
２１  光沢面
２３  キャッチ
２６  引っかけ爪
【図１】
2004257619.tif 000003
【図２】
2004257619.tif 000004
【図３】
2004257619.tif 000005
【図４】
2004257619.tif 000006
【図５】
2004257619.tif 000007